(57)【要約】【課題】エレベータ利用者に対する情報の提供を、エレベータ利用者がエレベータを利用する際に確実に行う。【解決手段】エレベータの情報配信システムにおいて、情報を記憶する情報記憶部１２と、エレベータ乗りかご又はエレベータ乗り場に設けられ、情報記憶部１２に記憶されている情報を送信する第１送信部３と、エレベータ利用者が携帯し、第１送信部３から送信される情報を受信する第１受信部８と、受信した情報がダウンロードされる記憶部９と、ダウンロードされた情報を再生する再生部１０とを有する端末機４と、を備える。【選択図】    図１
2009062105.tif 000002
【特許請求の範囲】
【請求項１】
情報を記憶する情報記憶部と、
エレベータ乗りかご又はエレベータ乗り場に設けられ、前記情報記憶部に記憶されている情報を送信する第１送信部と、
エレベータ利用者が携帯し、前記第１送信部から送信される情報を受信する第１受信部と、受信した情報がダウンロードされる記憶部と、ダウンロードされた情報を再生する再生部とを有する端末機と、
を備えることを特徴とするエレベータの情報配信システム。
【請求項２】
前記端末機は、個人識別情報を記憶する個人識別情報記憶部と、記憶している前記個人識別情報を送信する第２送信部とを有し、
前記エレベータ乗りかご又は前記エレベータ乗り場に設けられ、前記第２送信部から送信される前記個人識別情報を受信する第２受信部と、
前記個人識別情報とこの個人識別情報に関係付けられた情報の種類とを記憶する関係情報記憶部と、
前記第２受信部が前記個人識別情報を受信した場合に、受信した前記個人識別情報に関係付けて前記関係情報記憶部に記憶されている種類の情報を前記情報記憶部から検索する検索部と、
を備え、
前記第１送信部は、前記検索部により検索された情報を送信することを特徴とする請求項１記載のエレベータの情報配信システム。
【請求項３】
前記再生部は、ダウンロードされた情報のうち優先情報を自動的に再生することを特徴とする請求項１又は２記載のエレベータの情報配信システム。
【請求項４】
前記関係情報記憶部は、記憶されている情報の種類毎に、前記第１送信部から送信する場合にコンテンツ情報を含む情報とするかアドレス情報のみとするかを記憶していることを特徴とする請求項２又は３記載のエレベータの情報配信システム。
【請求項５】
前記第１送信部から送信されてダウンロードされる情報がコンテンツ情報を含む情報である場合、前記個人識別情報に付随する階床情報と送信される情報の情報量とから、エレベータ利用中にダウンロードの終了が可能であるか否かを判断する判断部と、ダウンロードの終了が不可能であると判断された場合にアドレス情報のみを送信するように変更する変更部とを備えることを特徴とする請求項４記載のエレベータの情報配信システム。
【発明の詳細な説明】
【技術分野】
【０００１】
本発明は、エレベータの情報配信システムに関し、特に、エレベータ利用者に対してエレベータを利用する際に各種の情報を提供することができるエレベータの情報配信システムに関する。
【背景技術】
【０００２】
近年、エレベータ乗りかご内やエレベータ乗り場にモニタやスピーカ等の出力部を設置し、この出力部から情報を出力することによりエレベータ利用者に対して各種の情報を提供するエレベータの情報配信システムが普及している。
【０００３】
また、下記特許文献１に記載されているように、個々のエレベータ利用者が携帯する個人情報発生器（例えば、携帯電話）から発生する個人識別情報（例えば、ＩＤ番号）を読取部で読み取り、読み取った個人識別情報と関係付けて記憶されている情報を出力部から出力するようにしたエレベータの情報配信システムが知られている。
【特許文献１】特開２００６−２６４８５９号公報
【発明の開示】
【発明が解決しようとする課題】
【０００４】
しかしながら、前述のエレベータの情報配信システムにおいては、以下の点について配慮がなされていない。
【０００５】
エレベータ利用者がエレベータを利用する時間、例えば、エレベータ乗りかごに搭乗している時間やエレベータ乗り場に滞在する時間は、長短様々である。このため、エレベータ利用者がエレベータを利用している時間内に情報の出力が終了せず、エレベータ利用者に対する情報の提供を確実に行えない場合が発生する。
【０００６】
また、特許文献１に記載されているように、個人識別情報と関係付けて記憶されている情報を出力部から出力する場合であっても、エレベータ利用者が複数存在する場合には、最初に個人識別情報を読み取られたエレベータ利用者の個人識別情報と関係付けて記憶されている情報が出力される。このため、他のエレベータ利用者に対しては、そのエレベータ利用者の個人識別番号と関係付けて記憶されている情報を提供できない。
【０００７】
本発明はこのような課題を解決するためになされたもので、その目的は、エレベータ利用者に対する情報の提供を、エレベータ利用者がエレベータを利用する際に確実に行うことである。
【課題を解決するための手段】
【０００８】
本発明の実施の形態に係る第１の特徴は、エレベータの情報配信システムにおいて、情報を記憶する情報記憶部と、エレベータ乗りかご又はエレベータ乗り場に設けられ、前記情報記憶部に記憶されている情報を送信する第１送信部と、エレベータ利用者が携帯し、前記第１送信部から送信される情報を受信する第１受信部と、受信した情報がダウンロードされる記憶部と、ダウンロードされた情報を再生する再生部とを有する端末機と、を備えることである。
【発明の効果】
【０００９】
本発明によれば、エレベータ利用者に対する情報の提供を、エレベータ利用者がエレベータを利用する際に確実に行うことができる。
【発明を実施するための最良の形態】
【００１０】
以下、本発明の実施の形態を図面を用いて説明する。
【００１１】
（第１の実施の形態）
本発明の第１の実施の形態に係るエレベータの情報配信システムは、図１に示すように、配信サーバ１と、エレベータ乗りかご２に設けられた送受信機３と、エレベータ利用者が携帯する端末機４とを備えている。配信サーバ１と送受信機３とは、ネットワーク５を介して接続されている。ネットワーク５としては、インターネット、電話回線、ＬＡＮ等を利用することができ、さらに、通信方式は無線通信、有線通信のいずれでもよい。送受信機３は、後述するように、配信サーバ１から端末機４に情報を送信する第１送信部としての機能、及び、端末機４から送信される個人識別情報を受信する第２受信部として機能を有する。
【００１２】
図２は、配信サーバ１と端末機４との機能を説明するブロック図である。
【００１３】
端末機４はＩＣチップを内蔵しており、このＩＣチップ内に、個人識別情報記憶部６と、第２送信部７と、第１受信部８と、記憶部９と、再生部１０とが設けられている。
【００１４】
個人識別情報記憶部６には、端末機４を携帯するエレベータ利用者の個人識別情報であるＩＤ番号が記憶されている。
【００１５】
第２送信部７は、個人識別情報記憶部６に記憶されているＩＤ番号を送信する。このＩＤ番号の送信は、端末機４を携帯したエレベータ利用者がエレベータ乗りかご２に搭乗し、送受信機３から発信される送信要求の電波をＩＣチップのアンテナで受信することにより行われる。
【００１６】
第１受信部８は、送受信機３から送信される情報を受信する。送受信機３から送信される情報については、後述する。
【００１７】
記憶部９には、第１受信部８で受信した情報がダウンロードされる。
【００１８】
再生部１０は、記憶部９にダウンロードされた情報を再生し、端末機４に設けられているモニタ１１に表示する。この再生表示は、ダウンロードされた情報のうち優先情報については自動的に行われる。また、再生部１０は、端末機４に設けられている再生操作キー（図示せず）の操作に基づき、記憶部９にダウンロードされた全ての情報について適宜再生表示する。再生表示が自動的に行われる優先情報とは、エレベータ利用者に早急に知らせることが好ましい情報であり、後で知ったのでは情報としての価値が下がる情報、例えば、交通情報、天気情報等である。優先情報には、その情報が優先情報であることを指示する優先指示情報が付加されており、この優先指示情報が付加されている情報が記憶部９にダウンロードされた場合、再生部１０が自動的に駆動され、再生表示が自動的に行われる。
【００１９】
配信サーバ１は各種の処理を行う制御部（図示せず）を備えており、第２送信部７、第１受信部８、記憶部９、再生部１０で行われる処理は、ＲＯＭなどのプログラム格納部（図示せず）に格納されたプログラムに従って制御部により行われる。
【００２０】
配信サーバ１には、情報記憶部１２と、ＩＤ認証部１３と、情報出力部１４とが設けられている。
【００２１】
情報記憶部１２には、エレベータ利用者に対して提供する各種の情報が記憶されている。情報記憶部１２に記憶されている情報は、エレベータ利用者に対して提供することが好適な情報であり、例えば、交通情報、天気情報、時事情報、商品情報等、様々である。
【００２２】
情報記憶部１２に記憶されている情報には、映像情報、音声情報が含まれている。映像情報の場合には、Falsh、Jpeg、Mpeg等の形式の電子データとして記憶されている。
【００２３】
情報記憶部１２に記憶されている情報は、情報の実体であるコンテンツ情報と情報の提供元を示すアドレス情報とから構成されており、又は、コンテンツ情報のみから構成されており、又は、アドレス情報のみから構成されている。
【００２４】
情報記憶部１２に記憶されている情報の中には、前述したように優先情報が含まれる場合がある。優先情報には、その情報が優先情報であることを指示する優先指示情報が付加され、この優先指示情報が付加されることにより、優先情報でない他の情報と区別されている。
【００２５】
ＩＤ認証部１３は、送受信機３においてＩＤ番号が受信されたか否かを確認する。
【００２６】
情報出力部１４は、送受信機３においてＩＤ番号が受信されたことをＩＤ認証部１３が確認した場合、情報記憶部１２に記憶されている情報を送受信機３に対して出力する。送受信機３に対して出力された情報は、送受信機３から端末機４に向けて送信される。
【００２７】
配信サーバ１は各種の処理を行う制御部（図示せず）を備えており、ＩＤ認証部１３、情報出力部１４で行われる処理は、ＲＯＭなどのプログラム格納部（図示せず）に格納されたプログラムに従って制御部により行われる。
【００２８】
配信サーバ１から端末機４への情報のダウンロードについて、図３のフローチャートに基づいて説明する。
【００２９】
端末機４を携帯したエレベータ利用者がエレベータ乗りかご２に搭乗すると、送受信機３から送信される送信要求の電波を端末機４のＩＣチップのアンテナが受信し、個人識別情報記憶部６に記憶されているＩＤ番号が第２送信部７から送信され（Ｓ１）、送信されたＩＤ番号が送受信機３で受信される（Ｓ２）。
【００３０】
ステップＳ２においてＩＤ番号が受信されると、ＩＤ番号が受信されたことがＩＤ認証部１３において確認され（Ｓ３）、この確認がされた場合に情報記憶部１２に記憶されている情報が情報出力部１４から出力される（Ｓ４）。
【００３１】
ステップＳ４において情報出力部１４から出力された情報は、送受信機３から送信される（Ｓ５）。
【００３２】
ステップＳ５において送受信機３から送信された情報は、端末機４の第１受信部８により受信され（Ｓ６）、受信された情報が端末機４の記憶部９にダウンロードされる（Ｓ７）。
【００３３】
ステップＳ７において情報がダウンロードされた後、ダウンロードされた情報の中に優先情報が含まれているか否かが判断される（Ｓ８）。優先情報が含まれている場合には（Ｓ８のＹＥＳ）、優先情報についてモニタ１１に自動的に再生表示される（Ｓ９）。優先情報の再生表示が終了し後、又は、優先情報が含まれていない場合には（Ｓ８のＮＯ）、一連の情報のダウンロード処理が終了する。
【００３４】
このような構成において、端末機４を携帯するエレベータ利用者がエレベータ乗りかご２に搭乗した場合、配信サーバ１の情報記憶部１２に記憶されている情報が端末機４の記憶部９にダウンロードされる。
【００３５】
エレベータ利用者は、ダウンロードされた情報を任意のタイミングで、例えば、エレベータ乗りかご２に搭乗している間、エレベータ乗りかご２から降車した後、目的地に到着した後等に再生表示することができる。このため、エレベータ利用者に対する情報の提供を、確実に行うことができる。特に、エレベータ乗りかご２に搭乗している時間が短時間である場合にも、確実に情報を提供することができる。
【００３６】
ダウンロードされた情報の中に優先情報が含まれている場合には、その優先情報はダウンロードが終了した後に自動的に再生表示される。このため、交通情報、天気情報等のように、エレベータ利用者が早急に知りたい優先情報については、早急に知らせることができる。
【００３７】
なお、本実施の形態では、送受信機３をエレベータ乗りかご２に設けた場合を例に挙げて説明したが、送受信機３を各階床のエレベータ乗り場に設けてもよい。この場合には、エレベータ乗り場での待ち時間中に情報を端末機４にダウンロードすることができる。
【００３８】
（第２の実施の形態）
本発明の第２の実施の形態に係るエレベータの情報配信システムについて、図４ないし図６に基づいて説明する。なお、第１の実施の形態において説明した構成要素と同じ構成要素には同じ符号を付け、重複する説明は省略する。
【００３９】
第２の実施の形態に係るエレベータの情報配信システムの基本的な構成は第１の実施の形態と同じであるが、以下の点において相違している。
【００４０】
第２の実施の形態に係るエレベータの情報配信システムでは、配信サーバ１に代えて配信サーバ１Ａが設けられ、端末機４に代えて端末機４Ａが設けられている。
【００４１】
配信サーバ１Ａには、情報記憶部１２と、ＩＤ認証部１３と、情報出力部１４とに加え、関係情報記憶部１５と、情報入力部１６と、検索部１７と、判断部１８と、変更部１９とが設けられている。
【００４２】
関係情報記憶部１５は、端末機４を携帯するエレベータ利用者の個人識別情報であるＩＤ番号と、このＩＤ番号に関係付けられた情報の種類とを記憶する提供情報テーブル２０を備えている。なお、ＩＤ番号に関係付けられた情報の種類とは、そのＩＤ番号を有するエレベータ利用者が情報提供を希望する情報の種類を意味する。
【００４３】
この提供情報テーブル２０における情報の配列状態を、図５に基づいて説明する。提供情報テーブル２０には、個々のエレベータ利用者のＩＤ番号（ａ、ｂ、ｃ、…、…）と、ＩＤ番号に付随する情報であって各エレベータ利用者が居住する階の階床情報と、個々のエレベータ利用者が提供を希望する情報の種類とが書き込まれている。個々のエレベータ利用者が提供を希望する情報の種類に関して、優先情報とするか否かの選択と、コンテンツ情報を含む情報とするかアドレス情報のみからなる情報とするかの選択とが行われている。なお、コンテンツ情報を含む情報とは、コンテンツ情報とアドレス情報とからなる情報、又は、コンテンツ情報のみからなる情報が該当する。提供を希望する情報の種類を、優先情報であってコンテンツ情報を含む情報とする場合には、その情報の種類の欄に“Ａ１”の印が書き込まれる。提供を希望する情報の種類を、優先情報であってアドレス情報のみからなる情報とする場合には、その情報の種類の欄に“Ａ２”の印が書き込まれる。提供を希望する情報の種類を、優先情報でない情報であってコンテンツ情報を含む情報とする場合には、その情報の種類の欄に“Ｂ１”の印が書き込まれる。提供を希望する情報の種類を、優先情報でない情報であってアドレス情報のみからなる情報とする場合には、その情報の種類の欄に“Ｂ２”の印が書き込まれる。
【００４４】
例えば、提供情報テーブル２０において、ＩＤ番号が“ａ”のエレベータ利用者においては、交通情報と天気情報との欄に“Ａ１”の印が書き込まれ、車情報の欄に“Ｂ１”の印が書き込まれている。このため、ＩＤ番号が“ａ”のエレベータ利用者に対しては、交通情報と天気情報とが、優先情報であってコンテンツ情報を含む情報として端末機４にダウンロードされる。また、車情報が、優先情報でない情報であってコンテンツ情報を含む情報として端末機４にダウンロードされる。
【００４５】
なお、提供情報テーブル２０への提供を希望する情報の種類の書き込みは、端末機４からの登録操作により行われる。
【００４６】
情報入力部１６は、提供を希望する情報の種類を提供情報テーブル２０に書き込むための登録操作が端末機４で行われた場合、登録操作された情報を送受信機３を介して取り込む。情報入力部１６で取り込まれた情報は、提供情報テーブル２０内に書き込まれる。
【００４７】
検索部１７は、送受信機３が端末機４から送信されたＩＤ番号を受信した場合に、受信したＩＤ番号に関係付けて提供情報テーブル２０に書き込まれている種類の情報を、情報記憶部１２から検索する。例えば、提供情報テーブル２０において、提供を希望する情報の種類として車情報が選択されていた場合には、情報記憶部１２に記憶されている情報の中から車情報に関する情報が検索される。
【００４８】
判断部１８は、第１送信部から送信されて端末機４Ａの記憶部９にダウンロードされる情報がコンテンツ情報を含む情報である場合、ＩＤ番号に付随して提供情報テーブル２０に記憶されているそのエレベータ利用者が居住する階の階床情報と、情報記憶部１２から検索された情報の情報量とから、エレベータ利用者がエレベータ利用中にその情報をダウンロードの終了が可能であるか否かを判断する。この判断によれば、同じ情報量の情報をダウンロードする場合でも、高層階に居住して１階までのエレベータ利用時間が長いエレベータ利用者に対してはダウンロードか可能であると判断され、低層階に居住して１階までのエレベータ利用時間が短いエレベータ利用者に対してはダウンロードの終了が不可能であると判断される場合がある。なお、情報記憶部１２に記憶されている各情報には情報量が記されている。
【００４９】
変更部１９は、判断部１８においてダウンロードの終了が不可能であると判断された場合に、送信する情報をアドレス情報のみに変更する。なお、この変更部１９でアドレス情報に変更される情報としては、優先情報でない情報のみを変更するようにし、優先情報についてはコンテンツ情報を含む情報として送信するように設定することができる。
【００５０】
配信サーバ１Ａは各種の処理を行う制御部（図示せず）を備えており、ＩＤ認証部１３、情報出力部１４、情報入力部１６、検索部１７、判断部１８、変更部１９で行われる処理は、ＲＯＭなどのプログラム格納部に格納されたプログラムに従って制御部により行われる。
【００５１】
端末機４Ａには、個人識別情報記憶部６と、第２送信部７と、第１受信部８と、記憶部９と、再生部１０とに加え、選択部２１が設けられている。
【００５２】
選択部２１は、端末機４Ａからの登録操作により提供情報テーブル２０に書き込みを行う際に、ダウンロードされる情報の種類をどれにするか、及び、ダウンロードされる情報を優先情報とするか否か、及び、コンテンツ情報を含む情報とするかアドレス情報のみからなる情報とするかを選択する。選択部２１で選択された情報は、第２送信部７から第２受信部として機能する送受信機３に送信される。送信された情報は送受信機３で受信され、情報入力部１６に取り込まれ、提供情報テーブル２０内に書き込まれる。
【００５３】
端末機４Ａは各種の処理を行う制御部（図示せず）を備えており、第２送信部７、第１受信部８、記憶部９、再生部１０、選択部２１で行われる処理は、ＲＯＭなどのプログラム格納部（図示せず）に格納されたプログラムに従って制御部により行われる。
【００５４】
配信サーバ１Ａから端末機４Ａへの情報のダウンロードについて、図６のフローチャートに基づいて説明する。
【００５５】
端末機４Ａを携帯したエレベータ利用者がエレベータ乗りかご２に搭乗すると、送受信機３から送信される送信要求の電波を端末機４ＡのＩＣチップのアンテナが受信し、個人識別情報記憶部６に記憶されているＩＤ番号が第２送信部７から送信され（Ｓ１１）、送信されたＩＤ番号が送受信機３で受信される（Ｓ１２）。
【００５６】
ステップＳ１２においてＩＤ番号が受信されると、ＩＤ番号が受信されたことがＩＤ認証部１３において確認される（Ｓ１３）。
【００５７】
ステップＳ１３においてＩＤ番号が確認されると、関係情報記憶部１５の提供情報テーブル２０中に同じＩＤ番号が存在するか否かが照合される（Ｓ１４）。
【００５８】
ステップＳ１４において、提供情報テーブル２０中に同じＩＤ番号が存在すると判断された場合には（Ｓ１４のＹＥＳ）、提供情報テーブル２０においてＩＤ番号に関係付けられた種類の情報が情報記憶部１２の中から検索される（Ｓ１５）。
【００５９】
ステップＳ１５において情報が検索された場合には、検索された情報の中に、ダウンロードされる場合にコンテンツ情報が含まれているかる否かが判断される（Ｓ１６）。
【００６０】
ダウンロードされる情報の中にコンテンツ情報が含まれている場合には（Ｓ１６のＹＥＳ）、エレベータ利用者がエレベータ利用中に情報のダウンロードが終了するか否かが判断される（Ｓ１７）。
【００６１】
ステップＳ１６において、ダウンロードされる情報の中にコンテンツ情報が含まれていないと判断された場合（Ｓ１６のＮＯ）、及び、エレベータ利用中にダウンロードが終了すると判断された場合は（Ｓ１７のＹＥＳ）、検索された情報が情報出力部１４から出力される（Ｓ１８）。
【００６２】
ステップＳ１７において、エレベータ利用中にダウンロードか終了しないと判断された場合は（Ｓ１７のＮＯ）、ダウンロードされる情報がアドレス情報のみに変更され（Ｓ１９）、そのアドレス情報のみが出力される（Ｓ１８）。
【００６３】
ステップＳ１８において情報出力部１４から出力された情報は、送受信機３から送信される（Ｓ２０）。
【００６４】
ステップＳ２０において送受信機３から送信された情報は、端末機４Ａの第１受信部８により受信され（Ｓ２１）、受信された情報が記憶部９にダウンロードされる（Ｓ２２）。
【００６５】
ステップＳ２２において情報がダウンロードされた後、ダウンロードされた情報の中に優先情報が含まれているか否かが判断される（Ｓ２３）。優先情報が含まれている場合には（Ｓ２３のＹＥＳ）、優先情報についてモニタ１１に自動的に再生表示される（Ｓ２４）。優先情報の再生表示が終了し後、又は、優先情報が含まれていない場合には（Ｓ２３のＮＯ）、一連の情報のダウンロード処理が終了する。
【００６６】
ステップＳ１４において、提供情報テーブル２０中に同じＩＤ番号が存在しないと判断された場合には（Ｓ１４のＮＯ）、予め設定された情報、例えば、交通情報や天気情報等のエレベータ利用者に早急に知らせることが好ましい情報のみが情報出力部１４から出力される（Ｓ２５）。ステップＳ２５において情報出力部１４から出力された情報は、送受信機３から送信される（Ｓ２０）。
【００６７】
このような構成において、端末機４Ａを携帯するエレベータ利用者がエレベータ乗りかご２に搭乗した場合、配信サーバ１Ａの情報記憶部１２に記憶されている情報の中から、そのエレベータ利用者が希望する種類の情報が検索され、検索された情報が端末機４Ａの記憶部９にダウンロードされる。
【００６８】
エレベータ利用者は、ダウンロードされた情報を任意のタイミングで、例えば、エレベータ乗りかご２に搭乗している間、エレベータ乗りかご２から降車した後、目的地に到着した後等に再生表示することができる。このため、個々のエレベータ利用者に対して、そのエレベータ利用者が希望する種類の情報を確実に提供することができる。
【００６９】
エレベータ利用者は、ダウンロードされる情報の形式を、コンテンツ情報を含む情報とするかアドレス情報とするかを選択することができる。さらに、エレベータ利用者は、ダウンロードされる情報の形式を、優先情報とするか否かを選択することができる。これにより、エレベータ利用者は、各種の情報を自分が希望する形式で提供を受けることができる。
【００７０】
ダウンロードされた情報の中に優先情報が含まれている場合には、その優先情報はダウンロードが終了した後に自動的に再生表示される。このため、優先情報として選択した情報については、その内容を早急に確認することができる。
【００７１】
また、ダウンロードされる情報がコンテンツ情報を含む情報である場合には、ダウンロードされる情報の情報量と、エレベータ利用者が居住する階の階床情報とから、エレベータ利用者がエレベータ利用中にダウンロードが終了するか否かが判断され、終了しないと判断された場合には、コンテンツ情報を含む情報がアドレス情報のみの情報に変更される。このため、エレベータ利用中に希望する情報のダウンロードが終了しないという事態の発生を防止することができ、エレベータ利用者に対する情報の提供を確実に行うことができる。
【図面の簡単な説明】
【００７２】
【図１】本発明の第１の実施の形態にエレベータの情報配信システムの概略を示す模式図である。
【図２】配信サーバと端末機との機能を説明するブロック図である
【図３】配信サーバから端末機への情報のダウンロードについて説明するフローチャートである。
【図４】本発明の第２の実施の形態に係るエレベータの情報配信システムの配信サーバと端末機との機能を説明するブロック図である。
【図５】提供情報テーブルにおける情報の配列状態を示す説明図である。
【図６】配信サーバから端末機への情報のダウンロードについて説明するフローチャートである。
【符号の説明】
【００７３】
２      エレベータ乗りかご
３      第１送信部、第２受信部
４、４Ａ  端末機
６      個人識別情報記憶部
７      第２送信部
８      第１受信部
９      記憶部
１０      再生部
１２      情報記憶部
１５      関係情報記憶部
１７      検索部
１８      判断部
１９      変更部
【図１】
2009062105.tif 000003
【図２】
2009062105.tif 000004
【図３】
2009062105.tif 000005
【図４】
2009062105.tif 000006
【図５】
2009062105.tif 000007
【図６】
2009062105.tif 000008